(57)【要約】【課題】  非接触ＩＣカード内蔵携帯電話は、リーダライタと接触させずにデータを読み書きできる便利さの反面、悪意を持った人にもＩＣカードを接触することなく、また気付かれることなく読み取られる恐れがある。そこで、悪意を持った人から非接触ＩＣカード内蔵携帯電話のデータを不正にアクセスされたことを検出することを目的とする。【解決手段】  現在発売されている携帯電話の殆どの機種に搭載されているバイブレーション機能、効果音機能、表示機能を用いることを特徴とする。【選択図】図１
2006343895.tif 000002
【特許請求の範囲】
【請求項１】
非接触ＩＣカード内蔵携帯電話において、ＩＣカード部が携帯電話制御部を通じてバイブレーション部を制御することができることを特徴とする非接触ＩＣカード内蔵携帯電話。
【請求項２】
非接触ＩＣカード内蔵携帯電話において、ＩＣカード部が携帯電話制御部を通じて効果音部を制御することができることを特徴とする非接触ＩＣカード内蔵携帯電話。
【請求項３】
非接触ＩＣカード内蔵携帯電話において、ＩＣカード部が携帯電話制御部を通じて表示部を制御することができることを特徴とする非接触ＩＣカード内蔵携帯電話。
【請求項４】
請求項１に記載の非接触ＩＣカード内蔵携帯電話において、外部リーダライタからアクセスがあった場合、バイブレーション部を制御することを特徴とする不正アクセス検出方式。
【請求項５】
請求項２に記載の非接触ＩＣカード内蔵携帯電話において、外部リーダライタからアクセスがあった場合、効果音部を制御することを特徴とする不正アクセス検出方式。
【請求項６】
請求項３に記載の非接触ＩＣカード内蔵携帯電話において、外部リーダライタからアクセスがあった場合、表示部を制御することを特徴とする不正アクセス検出方式。
【発明の詳細な説明】
【技術分野】
【０００１】
本発明は、電子マネー、電子乗車券、社員証、会員証等に使われている非接触ＩＣカード機能を内蔵した携帯電話に関するものである。
【背景技術】
【０００２】
近年、非接触ＩＣカードは電車の乗車券・定期券や電子マネーとして普及している。また、非接触ＩＣカードを携帯電話に内蔵したものも市場に出ており、今後更に普及することが予想される。この非接触ＩＣカードは、名前の通りリーダライタと接触することなくデータの読み書きをすることができ、非常に便利である。電子マネーなどのアプリケーションが入った非接触ＩＣカード内蔵携帯電話をリーダライタにかざすだけで小銭なしで精算処理をすることができる。
【発明の開示】
【発明が解決しようとする課題】
【０００３】
上記非接触ＩＣカード内蔵携帯電話は、リーダライタと接触させずにデータを読み書きできる便利さの反面、ポケットやカバンの中に入れていても悪意を持った人にＩＣカードを接触することなく、また気付かれることなく読み取られる恐れがある。
【０００４】
そこで、本発明は、悪意を持った人から非接触ＩＣカード内蔵携帯電話のデータを不正にアクセスされたのを検出することを目的とするものである。
【課題を解決するための手段】
【０００５】
本発明の非接触ＩＣカード内蔵携帯電話の不正アクセス検出方式は、上記目的を達成するために現在発売されている携帯電話の殆どの機種に搭載されているバイブレーション機能、効果音機能、表示機能を用いることを特徴とする。
【発明の効果】
【０００６】
本発明の非接触ＩＣカード内蔵携帯電話の不正アクセス検出方式によれば、非接触ＩＣカードをアクセスした場合、携帯電話を振動すること、効果音を鳴らすこと、携帯電話の画面上に表示することで持ち主にアクセスされたことを通知させることが可能である。
【発明を実施するための最良の形態】
【０００７】
以下に本発明の実施の形態を図１に基づいて説明する。図１は、本発明の一実施例である非接触ＩＣカード内蔵携帯電話１のハードウェア構成を示す機能ブロック図である。非接触ＩＣカード内蔵携帯電話１は、大きく分けて非接触ＩＣカード部２と携帯電話部６から構成される。非接触ＩＣカード部２は、リーダライタからの交流磁界を介して電源電圧の発生と信号の授受を行う結合手段となるアンテナ３、アンテナ３を介して信号を授受するためのＲＦ部４、非接触ＩＣカードとしての制御を行うＩＣカード制御部５から構成される。この非接触ＩＣカード部２は、ＩＳＯ／ＩＥＣ１４４４３タイプＡやＢ、ＦｅｌｉＣａと言った技術でリーダライタと接触せずにデータのやり取りを行うことができる。携帯電話部６は、携帯電話の制御を行う携帯電話制御部７、着信等を知らせるために携帯電話１を振動させるバイブレーション部８、着信等を音楽や音で知らせるための効果音部９、携帯電話として通信をするための通信部１０、携帯電話を制御するためのプログラム等が格納されているＦＲＯＭ１１、電話番号等データが格納されているＲＡＭ１２、電話番号や名前等の数字や文字を入力するための入力部１３、着信相手や時間を表示するための液晶画面などの表示部１４から構成される。また、非接触ＩＣカード部２のＩＣカード制御部５と携帯電話部６の携帯電話制御部７は接続されている。
【０００８】
本発明の一実施例である非接触ＩＣカード内蔵携帯電話１の不正アクセスを検出するケースとして図２と図３に示すフローチャートに基づいて詳細に説明する。図２は、非接触ＩＣカード部２のフローチャートを示す。図３は、携帯電話部６のフローチャートを示す。図２を用いて非接触ＩＣカード部２の動作について説明する。外部のリーダライタからの交流磁界による非接触ＩＣカード部２のアンテナ３によって発生する起電力の発生の有無を監視し（Ｓ２０１）、起電力の発生が検出できれば、非接触ＩＣカード部２へのアクセスを監視する（Ｓ２０２）。非接触ＩＣカード部２へのアクセスがあれば、アクセス内容を判断し（Ｓ２０３）、カード捕捉、リード、ライトと言ったアクセス内容をレジスタ等にそれぞれ保持（Ｓ２０４、Ｓ２０５、Ｓ２０６）する。アクセスの終了を監視し（Ｓ２０７）、まだ終了していなければ、再度アクセス内容を判断し（Ｓ２０３）、レジスタ等へのアクセス内容を保持する（Ｓ２０４、Ｓ２０５、Ｓ２０６）。アクセスが終了すれば、携帯電話部６の携帯電話制御部７へアクセスありの指示を行う（Ｓ２０８）。続いて、図３を用いて携帯電話部６の動作について説明する。携帯電話部６の携帯電話制御部７は、非接触ＩＣカード部２のＩＣカード制御部５からのアクセスありの指示の有無を監視する（Ｓ３０１）。指示があれば、アクセス通知の設定が解除されているか確認し（Ｓ３０２）、アクセス通知が解除されていれば、なにもせずに終了する。アクセス通知が解除されていなければ、バイブレーション部、効果音部を制御し（Ｓ３０３）、携帯電話１を振動させたり、音を鳴らすなどをする。このとき、アクセスされた内容によって、振動や音を変えてもよい。また、レジスタ等に保持されたアクセス内容を判定し（Ｓ３０４）、アクセスされた内容を携帯電話１の液晶画面などの表示部１４にそれぞれ表示する（Ｓ３０５、Ｓ３０６、Ｓ３０７）。アクセスされたＩＣカード制御部５のデータエリアによって、そのエリアを利用しているアプリ名を表示してもよい。また、アクセスされた日時、ＧＰＳ機能があれば、アクセスされた場所を表示してもよい。このようにアプリ名、日時、場所等を表示すれば、被害届や相談をし易くなる。
【産業上の利用可能性】
【０００９】
本発明は、電子マネー、電子乗車券、社員証、会員証等に使われている非接触ＩＣカード内蔵型の携帯電話に関するセキュリティ分野等に利用できる。
【図面の簡単な説明】
【００１０】
【図１】実施例として不正アクセス検出方式を適用した非接触ＩＣカード内蔵携帯電話のハードウェア構成を示す機能ブロック図。
【図２】実施例として不正アクセス検出方式を適用した非接触ＩＣカード内蔵携帯電話の非接触ＩＣカード部の処理シーケンス図。
【図３】実施例として不正アクセス検出方式を適用した非接触ＩＣカード内蔵携帯電話の携帯電話部の処理シーケンス図。
【符号の説明】
【００１１】
１…非接触ＩＣカード内蔵携帯電話、２…非接触ＩＣカード部、３…アンテナ、４…ＲＦ部、５…ＩＣカード制御部、６…携帯電話部、７…携帯電話制御部、８…バイブレーション部、９…効果音部、１０…通信部、１１…ＦＲＯＭ、１２…ＲＡＭ、１３…入力部、１４…表示部。
【図１】
2006343895.tif 000003
【図２】
2006343895.tif 000004
【図３】
2006343895.tif 000005